(57)【特許請求の範囲】
【請求項１】
実施設の浄水設備におけるフロック形成池以降の機能を全て備え、且つ、その設備を小型化した、フロック形成池ユニット、傾斜板沈降装置付き薬品沈殿池ユニット、急速ろ過池ユニット並びに沈殿水及びろ過水の濁度監視ユニットを有する浄水処理自動連続式監視装置であって、
上記傾斜板沈降装置付き薬品沈殿池ユニットが傾斜板沈降装置、沈殿槽及び迂流壁を備えた越流槽とからなり、傾斜板沈降装置部分が傾斜板ピッチの異なる傾斜板沈降装置と交換可能であり、沈殿槽がその底部に自動排泥装置を有すると共に、下部の汚泥溜りに汚泥流出防止用阻流装置を有し、越流槽の迂流壁の上部を滑らかな傾斜構造にすることにより、沈殿水の濁度を１．０度未満とする傾斜板沈降装置付き薬品沈殿池ユニットであり、
フロック形成からろ過までの水処理所要時間を実施設の１／６から１／１２程度に短縮することにより浄水処理状態を早期に監視できることを特徴とする浄水処理自動連続式監視装置。
【請求項２】
上記急速ろ過池ユニットが小型ろ過カラムであり、カスケード方式により導水されると共に、不陸を解消するための不陸防止用阻流装置、ろ過層を支持する固定支持板及び時間設定又は水位計の水位設定に基づく自動洗浄機能を有し、ろ過水の濁度を０．０５度以下とすることを特徴とする請求項１に記載の浄水処理自動連続式監視装置。
【請求項３】
上記フロック形成池ユニット、傾斜板沈降装置付き薬品沈殿池ユニット及び急速ろ過池ユニットが、目視観察可能な透明材料で形成されていることを特徴とする請求項１又は２に記載の浄水処理自動連続式監視装置。
【請求項４】
上記フロック形成池ユニットが複数の攪拌機を有し、それらの攪拌機は原水水質に応じて互いに独立して回転速度の調整が可能であることを特徴とする請求項１〜３のいずれかに記載の浄水処理自動連続式監視装置。
【請求項５】
上記濁度監視ユニットが、濁度計又は濁度計及び微粒子カウンターを備えることを特徴とする請求項１〜４のいずれかに記載の浄水処理自動連続式監視装置。
【請求項６】
請求項１〜５のいずれかの浄水処理自動連続式監視装置と、凝集剤、塩素剤、粉末活性
炭を含む薬品注入設備ユニットと、急速攪拌機を装備した混和池ユニットと、濁度計、残留塩素計を含む水質計器を具備する水質監視ユニットとを有し、実施設の浄水設備の機能をすべて備え、且つ、その設備を小型化し、原水の取水からろ過までの全浄水プロセス所要時間を実施設の１／６から１／１２程度に短縮することにより浄水処理状態を早期に監視できることを特徴とする浄水プロセスの連続式監視装置。
【請求項７】
請求項１〜５のいずれかの浄水処理自動連続式監視装置から得られた沈殿水濁度及びろ過水濁度の情報に基づき、浄水処理不良原因が微小プランクトンによるろ過障害か否かを判断し、微小プランクトンによるろ過障害と判断された時に、実施設の後凝集処理工程において凝集剤の自動注入を行うことを特徴とする浄水プロセスの連続制御システム。
【発明の詳細な説明】
【技術分野】
【０００１】
本発明は、浄水場の浄水プロセスの水質監視・制御システムに関するものであり、特に浄水場における水処理全般の危機管理に関するものである。
【背景技術】
【０００２】
一般に、浄水場では河川や貯水池などの水源から原水を取水し、凝集、フロック形成、沈殿、ろ過および殺菌の単位プロセスを経て、被処理水から懸濁質とコロイド質を除去し、細菌等を無害化し、水道水として供給している。
上記のように、浄水処理においては、凝集沈殿処理とろ過処理とを組み合わせて行う方法が広く採用されている。
浄水場の一般的な水処理フローでは、混和池で凝集剤等の水処理薬剤が注入され、急速攪拌機等で攪拌および混合された後、後段のフロック形成池、薬品沈殿池、急速ろ過池を経て、処理水の濁度は厚生労働省が非特許文献１で指導している０．１度以下にまで制御される。上記フローの全所要時間（全滞留時間）は通常６時間程度である。
【０００３】
最近、全国各地の水道水源では富栄養化に起因する微小プランクトンの大発生が頻発している。微小プランクトンは、急速ろ過池より漏出してろ過水濁度を０．１度以上に上昇させる原因となるので、水道事業体ではその処理対策に苦慮しているところである。
厚生労働省は水道水を介して発生したクリプトスポリジウムによる感染症への対応として、ろ過水濁度０．１度以下管理（非特許文献１参照）を指導しているため、各地の水道事業者はろ過水濁度の常時０．１度以下管理を最も重要な水質管理項目と位置づけている。
【０００４】
ところが、現在の科学的知識では微小プランクトンの発生を事前予知することは不可能であるため、水道事業者はろ過水の濁度変化を昼夜連続で監視して、ろ過水濁度が上昇した時点で、初めて前凝集剤強化や後凝集剤注入などの対応をとるのみであった。
このような現場の対応では時間遅れが生ずるため、水道事業者はより安全側の対応として、ろ過水濁度の小さな動きをもとに予防措置として凝集強化などの対応措置を取っているのが現状である。
【０００５】
しかしながら、このような対応は凝集剤の非合理的な大量注入をもたらす上に、特に夜間では判断時間の遅れに伴うろ過水濁度漏洩事故の原因ともなっているので、水道事業者の大きな悩みのひとつともなっている。
これらの問題を解決するために、連続式ジャーテスタを用いて、高分子凝集剤を用いたフロック形成池後の水質に相当する処理水を測定し、その結果に基づき便宜的に対応する方法が提案されている（特許文献１）。
【０００６】
しかし、実施設の水質評価テストでは、上記の高分子凝集剤を用いた処理だけでなく、ろ過処理まで行なって評価することが必要とされている。
ところが、小型化した急速ろ過カラムの製作は、ろ過層の支持、ろ過層周囲に沿った短絡流の防止などの点で各種の問題があり、実施設のろ過装置を模擬することが困難であることから、それに変わる方法もいくつか提案されている（特許文献２〜４）。
しかしながら、これらの従来の方法は、ろ過処理後の水質を測定するものではないことから、実施設の急速ろ過池で処理された後のろ過水濁度に十分に対応するものではなく、依然として満足のできる監視方法ではなかった。
【先行技術文献】
【特許文献】
【０００７】
【特許文献１】特開昭６３−１６２００７号公報
【特許文献２】特開２００２−２５３９０４号公報
【特許文献３】特開昭５４−９３８４８号公報
【特許文献４】特開平５−１４６６０８号公報
【非特許文献】
【０００８】
【非特許文献１】厚生労働省告示「水道におけるクリプトスポリジウム等対策指                    針」（平成１９年）
【発明の概要】
【発明が解決しようとする課題】
【０００９】
本発明の連続式監視装置は、実施設の浄水設備におけるフロック形成池以降の機能を全て備え、且つ、その設備を小型化したものであり、ろ過水濁度を測定するまでの時間を実施設の１／６から１／１２程度に相当する1時間から３０分以内とするものであり、そこで得られた結果をもとに、実施設のろ過水濁度の変化を５時間以上前に予知し、凝集強化のタイミングを適正化することで、実施設での対応遅れの解消を課題とするものである。
【００１０】
すなわち、本発明は、実施設の浄水設備におけるフロック形成池以降の設備を小型化した、フロック形成池ユニット、傾斜板沈降装置付き薬品沈殿池ユニット、急速ろ過池ユニット及び濁度監視ユニットを有する浄水処理自動連続式監視装置であり、フロック形成池ユニット及び傾斜板付き薬品沈殿池ユニットまでの滞留時間を２０分程度とし、急速ろ過池ユニットを含めた全滞留時間を３０分から１時間程度以内（濁度測定を含む）とすることを可能とした監視装置である。
【００１１】
フロック形成からろ過までの全滞留時間を１時間以内とすることを可能にするためには、既存の凝集、フロック形成、沈殿装置の改良と併せて、機能を損なうことのない小型ろ過装置の開発が課題となり、本発明はそれらの各課題を解決することにより完成したものである。また、本発明の連続式監視装置を用いることにより、水質変化に迅速に対応可能な浄水プロセスの連続制御システムを完成したものである。
【課題を解決するための手段】
【００１２】
本発明の浄水処理自動連続式監視装置は、実施設の浄水設備におけるフロック形成池以降の機能を全て備え、且つ、その設備を小型化した、フロック形成池ユニット、傾斜板沈降装置付き薬品沈殿池ユニット、急速ろ過池ユニット並びに沈殿水及びろ過水の濁度監視ユニットを有する浄水処理自動連続式監視装置であって、フロック形成からろ過までの水処理所要時間を実施設の１／６から１／１２程度に短縮することにより浄水処理状態を早期に監視できるものである（請求項１の発明）。
【００１３】
本発明の浄水処理自動連続式監視装置における傾斜板沈降装置付き薬品沈殿池ユニットは、傾斜板沈降装置、沈殿槽及び迂流壁を備えた越流槽とからなり、傾斜板沈降装置部分の傾斜板ピッチが異なる傾斜板沈降装置と交換可能であり、沈殿槽がその底部に自動排泥装置を有すると共に、下部の汚泥溜りに汚泥流出防止用阻流装置を有し、越流槽の迂流壁の上部を滑らかな傾斜構造にすることにより、沈殿水の濁度を１．０度未満とするものである（請求項２の発明）。
【００１４】
本発明の浄水処理自動連続式監視装置における急速ろ過池ユニットは、小型ろ過カラムであり、カスケード方式での導水により引き起こされる不陸を解消するための不陸防止用阻流装置が上部に設けられ、ろ過層を支持する固定支持板が下部に設けられている。
さらに、時間設定又は水位計の水位設定に基づく自動洗浄機能を有し、ろ過水の濁度を０．０５度以下とするものである（請求項３の発明）。
【００１５】
本発明の浄水処理自動連続式監視装置は、フロック形成池ユニット、傾斜板沈降装置付き薬品沈殿池ユニット及び急速ろ過池ユニットが、透明材料で形成されており、外部から各ユニット内部の状態が目視観察可能な構造である（請求項４の発明）。
本発明の浄水処理自動連続式監視装置におけるフロック形成池ユニットは、複数の攪拌機を有し、それらの攪拌機は原水の水質変化に応じて互いに独立して回転速度の調整が可能である（請求項５の発明）
【００１６】
本発明の浄水処理自動連続式監視装置における濁度監視ユニットは、濁度計又は濁度計及び微粒子カウンターを備えるものであり、これらの濁度計等により沈殿水及びろ過水の濁度監視を行なうものである（請求項６の発明）。
本発明の浄水プロセスの連続式監視装置は、上記１〜６のいずれかの浄水処理自動連続式監視装置並びにその前段階の凝集剤、塩素剤、粉末活性炭を含む薬品注入設備ユニット、急速攪拌機を装備した混和池ユニット及び濁度計、残留塩素計を含む水質計器を具備する水質監視ユニットからなり、実施設の浄水設備の機能をすべて備え、且つ、その設備を小型化し、原水の取水からろ過までの全浄水プロセス所要時間を実施設の１／６から１／１２程度に短縮することにより浄水処理状態を早期に監視できるものである（請求項７の発明）。
【００１７】
本発明の浄水プロセスの連続制御システムは、上記１〜６のいずれかの浄水処理自動連続式監視装置から得られた沈殿水濁度及びろ過水濁度の情報に基づき、浄水処理不良原因が微小プランクトンによるろ過障害か否かを判断し、微小プランクトンによるろ過障害と判断された時に、実施設の後凝集処理工程において凝集剤の自動注入を行うものである（請求項８の発明）。
【発明の効果】
【００１８】
本発明によれば、浄水処理自動連続式監視装置におけるフロック形成からろ過までの水処理に相当する滞留時間を1時間以内の短時間とすることで、実施設での凝集剤使用の合理化、適正化が可能となるとともに、凝集不全等の予防検知が可能となるので、浄水プロセスにおける危機管理能力が飛躍的に向上する。
【図面の簡単な説明】
【００１９】
【図１】図１は一般的な浄水場における浄水プロセスを示すものであり、本発明の浄水処理自動連続式監視装置が、実施設の浄水場における水処理薬品注入工程および混和池における攪拌工程が終了した前処理水の一部を導水する装置であることを示すものである。
【図２】図２は本発明の浄水処理自動連続式監視装置の各ユニットを示すものである。
【図３】図３は傾斜板沈降装置付薬品沈殿池ユニットにおける傾斜板沈降装置を示すものである。
【図４】図４は傾斜板沈降装置付薬品沈殿池ユニットを示すものである。
【図５】図５は越流槽における迂流壁の作用を示す模式図である。
【図６】図６は浄水プロセスの連続式監視装置の導水位置を示すものである。
【図７】図７は浄水プロセスの連続式監視装置のフローチャートを示すものである。
【図８】図８は浄水プロセスの連続制御システムのフローチャートを示すものである。
【図９】図９は装置の滞留時間を計測したものである
【図１０】図１０は浄水処理自動連続式監視装置の沈殿水濁度の計測結果を示すものである。
【図１１】図１１は浄水処理自動連続式監視装置のろ過水濁度の計測結果を示すものである。
【図１２】図１２は実施設のろ過水粒子数と原水ピコプランクトン数の変化を示すものである。
【発明を実施するための形態】
【００２０】
以下に、添付図面を参照しながら、本発明に係る浄水処理自動連続式監視装置及びそれを用いた浄水プロセスの連続式監視システムについて、その実施の形態について説明する。
本発明は、浄水処理自動連続式監視装置におけるフロック形成からろ過までの水処理に相当する滞留時間を1時間以内の短時間とすることを目標とし、特に急速ろ過池としての処理性能を損なうことなく、滞留時間を短くすることを可能とした浄水処理自動連続式監視装置である。
なお、処理機能を損なうことなくとは、急速ろ過池ユニットで処理した後の平時におけるろ過水濁度が実施設と同等である０．０５度を目標とすることである。
【００２１】
浄水場における一般的な水処理プロセスは、図１に示すとおり、河川や貯水池などの水源から原水が着水井に取り込まれ、混和池において水処理薬品としてｐＨ調整剤、酸化剤、および凝集剤が注入され、急速攪拌機等で攪拌および混合された後、フロック形成池、薬品沈殿池、急速ろ過池を経て浄水池に送られる。
本発明の浄水プロセスの連続制御システムは、上記の実施設の浄水設備において、水処理薬品注入工程および攪拌工程が終了した前処理水の一部を本発明の浄水処理自動連続式監視装置に導き、該監視装置の濁度監視ユニットからの情報をもとに実施設における原水の薬注制御を行なうものである。
【００２２】
そして、本発明の浄水処理自動連続式監視装置は、図２に示すとおり、従来の監視装置とは異なり、ろ過後の水質を測定するものである点に特徴を有するものであり、実際の急速ろ過池で処理された後のろ過水濁度に対応した監視を可能としたものである。
本発明で新たに開発された急速ろ過池ユニットで使用するろ過カラムは、急速ろ過池ユニットにおける滞留時間の短縮等を図るために幾つかの改良が施されており、以下にその改良点について説明する。
【００２３】
まず、ろ過カラムへの導水は、装置規模を考慮してカスケード方式を採用するものであるが、その場合、未ろ水が水面に落下する際に砂層表面をかく乱し、ろ過性能を左右する不陸を形成する問題があった。
そこで、本発明では、図２の１３に示すとおり、ろ過カラムの水落下面に不陸防止用阻流装置を設けることにより、その不陸の問題点の改善を図っていることも特徴の一つである。
【００２４】
また、急速ろ過池ユニットは、運転とともに目詰まりするために定期的な洗浄が必要であり、そのためにろ過カラムの底部に固定支持板を設け逆洗処理を容易に行なえるようにし、時間設定又は水位計の水位設定に基づく自動洗浄機能が設けられている。
さらに、洗浄時には監視装置としての機能が停止するので、定期的な洗浄間隔をできるだけ長くする必要があり、この定期洗浄間隔の延伸化も従来からの課題であった。
【００２５】
このため、急速ろ過池ユニットに導入される沈殿水の微細な固形物の除去を図るために、本発明では急速ろ過池ユニットの前段に設置されるフロック形成池ユニット及び傾斜板沈降装置付き薬品沈殿池ユニットに対しても幾つかの改良を図るものである。
通常、薬品沈殿池では、沈殿効率を確保するために傾斜板沈降装置が設置されている。この沈降装置の仕様は、原水の水質や凝集剤注入率に依存するが、従来の装置では一定仕様の沈降装置が設置されているのみであり、原水条件などに即応した仕様とはなっていなかった。
【００２６】
特に、ろ過水濁度０．０５度を目標とした監視装置では、傾斜板沈降装置付き薬品沈殿池ユニットの目標濁度を１．０未満に設定する必要があるが、このためには傾斜板沈降装置の仕様を改良することが必要であった。このため、本発明の傾斜板沈降装置付き薬品沈殿池ユニットでは、原水の水質や凝集剤注入率に応じて、図３に示す傾斜板ピッチの異なる傾斜板沈降装置を取替え可能な構造とするものである。
また、従来の薬品沈殿地では、汚泥排出量、排出間隔が原水水質、水処理条件によって変化する。汚泥排出時は監視装置としての機能が停止するので、汚泥排出間隔の延伸化が課題であるとともに、排泥後の再起動時には処理が不安定となり、濁質分がろ過池に流出し、監視装置としての機能を損なう要因ともなるので、新たな装置としては改良すべき課題があった。
【００２７】
上記の課題に対処するため、本発明の傾斜板沈降装置付き薬品沈殿池ユニットでは、沈殿槽に図４に示す汚泥流出防止用阻流装置を設置し、濁質分がろ過ユニットに流出することを防ぐと共に、越流槽の迂流壁の上部を図５に示すような滑らかな傾斜構造とすることにより、沈殿除去し得なかった微細フロックが流出した場合もそのフロックがさらに細かく破壊分散しないように設計されている。
【００２８】
フロック形成池ユニットにおいても、複数の攪拌機が原水水質に応じて互いに独立して回転速度の調整が可能な構成とすることによりフロック形成を効果的に行い、ろ過装置への負荷を減らすことが可能な構造となっている。
濁度監視ユニットは、沈殿水とろ過水の両方の処理水を監視するものであり、監視手段としては濁度計単独でもよいが、濁度計と微粒子カウンターを併用することによって、より正確な監視が可能である。
【００２９】
そして、本発明の浄水処理自動連続式監視装置は、フロック形成池ユニット、傾斜板沈降装置付き薬品沈殿池ユニット及び急速ろ過池ユニットが、目視観察可能な透明材料で形成されており、フロックの形成状況、沈降状況などの処理状況を目視で確認でき、さらに外部見学者に対しても本発明の浄水処理自動連続式監視装置の運転状況を分かりやすく説明することができる。
【００３０】
実際の浄水場では時々刻々変化する原水水質に対応した形で原水に凝集剤、塩素剤、粉末活性を注入し、水処理に万全を期している。しかしながら、特に降雨時、原水水質が急激に変化した場合など、凝集剤などの注入制御が間に合わず水処理事故を引き起こす場合がある。また、平常時においても凝集剤注入機などの不具合による不測の水処理事故を招くこともある。
【００３１】
本発明の浄水プロセスの連続監視装置では、上記の浄水処理自動連続式監視装置の前段階に凝集剤、塩素剤、粉末活性炭を含む薬品注入設備ユニット、急速攪拌機を装備した混和池ユニット及び濁度計、残留塩素計を含む水質計器を具備する水質監視ユニットを設けることにより、原水水質の急変に対する水処理薬剤の適正注入率を実施設の水処理にフィードフォワードして水処理事故の未然防止を可能とするものである。また、本監視装置は全浄水プロセス所要時間を実施設の１／６から１／１２に短縮していることから、実施設での凝集剤注入機などの不具合発生の事前察知が可能であり、水処理事故の拡大や未然防止を可能とするものである。
【００３２】
現在、各地の浄水場ではろ過水への微小プランクトンの漏出に悩まされている。微小プランクトンによる濁度障害の特徴は、沈殿水濁度は通常時と変わらない状況下でろ過水濁度のみが上昇（０．１度以上）することである。この原因は微小プランクトンの濁度への寄与率がろ過水で高くなるためである。ろ過水濁度の０．１度以下管理はクリプトスポリジウム対策上、現在の水道水処理管理の最重要事項である。
本発明の浄水処理プロセスの連続監視システムは、全浄水プロセス所要時間を実施設の１／６から１／１２程度に短縮して沈殿水とろ過水の濁度を監視できるので、微小プランクトン特有の濁度変化を実施設で濁度障害が発生する前に検出できる。微小プランクトンは急速ろ過池前段での凝集剤（後凝集剤）により除去可能であるので、検出した濁度異常に対する後凝集剤の注入強化を自動制御化することで、本発明の浄水処理プロセスの連続監視システムは実施設でのろ過水濁度上昇を未然に防止することができる。
【００３３】
以上のとおり、本発明は、フロック形成池ユニット、傾斜板沈降装置付き薬品沈殿池ユニット並びに沈殿水及びろ過水の濁度監視ユニットの改良と機能を損なうことのない急速ろ過池ユニットの新規開発により、フロック形成からろ過までの処理工程に相当する全滞留時間を1時間以内とした浄水処理自動連続式監視装置及び該浄水処理自動連続式監視装
置にその前段階の各処理工程に相当するユニットを付加した浄水プロセスの連続式監視装置に関するものであり、さらに、上記浄水処理自動連続式監視装置を用いた浄水プロセスの連続制御システムに関するものである。
【実施例】
【００３４】
大きさ・・幅１，４５０ｍｍ×奥行９００ｍｍ×高さ１，３００ｍｍ
材質・・・フレーム；ＳＳ４００、水槽部；透明ＰＶＣ
処理結果の具体例を以下に示す。
図９は浄水処理自動連続式監視装置に塩化カリウムを添加して装置の滞留時間を見たものである。装置の処理水量から計算できる装置の全滞留時間（ろ過水濁度計まで）は、約３０分であるが、図９に示すようにろ過水の塩化カリウムのピーク出現時間は約３０分であり、装置は所定の性能を持つことが立証できた。
【００３５】
図１０は大型藻類が発生している時期の浄水処理自動連続式監視装置による監視結果である。沈殿水濁度は目標値である１度以上を示し大きく変動しているが、この原因は大型藻類によるものである。図１１に示す同時期のろ過水濁度も０．１度を大幅に超過している。
しかし、７月１６日を境に沈殿水とろ過水の濁度はともに低下し、それぞれ目標値である１度未満、０．０５度未満を示した。この低下の原因は、実施設で凝集強化等が行われたためである。本発明の監視装置が実施設の水処理状況を適格に再現できることを示すものである。
【００３６】
図１２は実施設のろ過水粒子数（ピコプランクトンサイズの粒子）の変化と原水ピコプランクトン数の変化を示したものである。原水ピコプランクトン数の変化に対して、ろ過水粒子数は実施設の滞留時間である約６時間遅れで変化している。
ピコプランクトンの計数には顕微鏡観察が必要で、計数結果を得るまでに長時間を要するものであるが、実施設のろ過水粒子数はピコプランクトンの代替指標として利用することができる。
したがって、本発明の監視装置の濁度変化と実施設の粒子数変化の関係を基に、本発明の浄水プロセスの連続制御システムに基づく浄水処理の早期の適正化が可能となることを示すものである。
【産業上の利用可能性】
【００３７】
本発明は、実施設の浄水設備を小型化した、フロック形成池ユニット、傾斜板沈降装置
付き薬品沈殿池ユニット、急速ろ過池ユニット並びに沈殿水及びろ過水の濁度監視ユニットを有する浄水処理自動連続式監視装置であり、フロック形成からろ過までの水処理所要時間を実施設の１／６から１／１２程度に短縮することによって浄水処理状態を早期に監視することができ、実施設での凝集剤使用の合理化、適正化が可能となるとともに、凝集不全等の予防検知が可能となるので、浄水プロセスにおける危機管理能力が飛躍的に向上するものである。
【符号の説明】
【００３８】
１   フロック形成池ユニット
２   攪拌機 
３   傾斜板沈降装置付き薬品沈殿池ユニット
４   傾斜板沈降装置
５   傾斜板ピッチ
６   汚泥
７   汚泥流出防止用阻流装置
８   自動排泥装置 
９   越流槽
１０ 迂流壁
１１ 急速ろ過池ユニット
１２ 濁度監視ユニット
１３ 不陸防止用阻流装置
１４ ろ過砂
１５ 固定支持板
１６ 水位計
【図１】
0005473560.tif 000002
【図２】
0005473560.tif 000003
【図３】
0005473560.tif 000004
【図４】
0005473560.tif 000005
【図５】
0005473560.tif 000006
【図６】
0005473560.tif 000007
【図７】
0005473560.tif 000008
【図８】
0005473560.tif 000009
【図９】
0005473560.tif 000010
【図１０】
0005473560.tif 000011
【図１１】
0005473560.tif 000012
【図１２】
0005473560.tif 000013